(57)【要約】  硬膜外針組立体は、硬膜外針組立体と注射針組立体とを含む。注射針組立体は、伸長位置と引き込み位置との間で硬膜外針組立体の針に摺動可能に取り付けられる。注射針組立体は、注射ハブを含み、注射ハブは、それに固定され、それから前方に延在する注射針を有する。注射針組立体がその引き込み位置にあるとき、注射針の前端は、硬膜外針の前端の後方に配置される。注射針組立体がその伸長位置にあるとき、注射針の前端は、硬膜外針の前端の前方に配置される。伸長位置にあるとき、注射針は、硬膜外針を人又は動物の皮膚に挿入するために、人又は動物の皮膚にホールを作り出すことができる。
2019514646.tif 000002
【特許請求の範囲】
【請求項１】
硬膜外針組立体であって、硬膜外針ハブと、細長い硬膜外針と、注射針組立体とを含み、
前記硬膜外針ハブは、前端及び後端を有し、
前記硬膜外針ハブは、それを通して延在する第１穴を有し、
前記細長い硬膜外針は、前端及び後端を有し、それを通して後端及び前端を有する第２穴が延在し、
前記硬膜外針の前記後端は、前記硬膜外針ハブの前記前端から前方に延在するように、前記硬膜外針ハブの前記前端に固定され、
前記硬膜外針内の前記第２穴の前記後端は、前記硬膜外針ハブ内の前記第１穴と連通し、
前記硬膜外針の前記前端は鋭利にされ、
前記注射針組立体は、前端及び後端を有する注射針ハブを含み、前記注射針ハブは、それを通して延在する穴を有し、
前記注射針組立体は、前端及び後端を有する細長い中空の注射針を含み、
前記細長い中空の注射針の前記後端は、前記注射針ハブに固定され、
前記細長い中空の注射針の前記前端は、尖端を有し、
前記細長い中空の注射針の前記後端は、前記注射針ハブの前記穴と連通し、
前記注射針ハブは、前記硬膜外針に摺動可能に取り付けられ、それにより、前記硬膜外針は、前記注射針ハブの前記後端、前記注射針ハブ内の前記穴、及び前記注射針を通して摺動可能に延在し、
前記注射針ハブ及び前記注射針は、前記硬膜外針及び前記硬膜外針ハブに対して第１の引き込み位置と第２の伸長位置との間で摺動可能に移動可能であり、
前記注射針ハブ及び前記注射針が前記第１の引き込み位置にあるとき、前記注射針の前記前端は、前記硬膜外針の前記前端の後方に配置され、
前記注射針ハブ及び前記注射針が前記第２の伸長位置にあるとき、前記注射針の前記前端は、前記硬膜外針の前記前端の前方に配置される、ことを特徴とする硬膜外針組立体。
【請求項２】
前記硬膜外針ハブは、その前端にそこから前方に延在するドッキング部を有し、前記注射針ハブの前記後端は、前記注射針ハブ及び前記注射針を前記第１の引き込み位置に選択的に維持するように、前記硬膜外針ハブの前記ドッキング部を受け入れる、ことを特徴とする請求項１に記載の硬膜外針組立体。
【請求項３】
内端及び外端を有するウイングを更に含み、前記ウイングの前記内端は前記注射針ハブに固定され、それにより、前記ウイングは前記注射針ハブから外方に延在する、ことを特徴とする請求項１に記載の硬膜外針組立体。
【請求項４】
前記注射針ハブが前記硬膜外針に対して摺動可能に移動するのを確実に防止するために、前記硬膜外針が延在する前記注射針ハブに、前記硬膜外針と摩擦係合するシールが配置される、ことを特徴とする請求項１に記載の硬膜外針組立体。
【請求項５】
前記シールを前記注射針ハブ内に維持するために、シールリテーナが前記注射針ハブに配置される、ことを特徴とする請求項４に記載の硬膜外針組立体。
【請求項６】
前記注射針ハブの前記後端には、径方向に離間されたスロットが形成される、ことを特徴とする請求項２に記載の硬膜外針組立体。
【発明の詳細な説明】
【技術分野】
【０００１】
あなたの申立人として、アメリカ合衆国の国民であり、カリフォルニア州の居住者であるＧＡＹＬＥ  ＭＩＳＬＥ（郵便局の住所が、３１  Ｓｏｕｔｈ  Ｅｌ  Ｃａｍｉｎｏ  Ｒｅａｌ、Ｍｉｌｌｂｒａｅ、ＣＡ  ９４０３０）と、アメリカ合衆国の国民であり、ユタ州の居住者であるＲＹＡＮ  Ｃ．  ＰＡＴＴＥＲＳＯＮ（郵便局の住所が、２９７  Ｆｒｏｎｔｉｅｒ  Ｒｏａｄ、Ｆａｒｍｉｎｇｔｏｎ、Ｕｔａｈ、８４０２５である）と、アメリカ合衆国の国民であり、ユタ州の居住者であるＴＲＥＮＴ  Ｊ．  ＰＥＲＲＹ（郵便局の住所が、４２０  Ｅａｓｔ  ６５０  Ｓｏｕｔｈ、Ｋａｙｓｖｉｌｌｅ、Ｕｔａｈ  ８４０３７である）とは、以下の明細書に記載された発明のために特許証が付与されることを祈る。
【０００２】
＜関連出願の相互参照＞
本出願は、２０１６年４月２０日に出願された「カニューレと針組立体」と題する出願番号第１５／１３３，６６０号の一部継続出願である。
本発明は硬膜外針組立体に関し、より詳しくは、膝、腕、肩、背中などの人の様々な部位に又は動物に硬膜外針を挿入することを可能にする注射針組立体に関する。
（関連技術の説明）
【０００３】
硬膜外針は、麻酔剤及び／又は薬剤を脊椎の硬膜外腔に注入するために非外科的療法で通常使用される針である。
【背景技術】
【０００４】
従来の硬膜外針は、近位端、遠位端及びそこを通して延在する軸方向中空穴を有する細長い針を含む。従来の硬膜外針はまた、近位端、遠位端及び内径を有する開放通路を有するハブを含み、ハブは、その細長い針に取り付けられて、細長い針の中空穴は、開放通路と流体連通し、且つ開放通路と実質的に軸方向に整列している。
【０００５】
従来の硬膜外針は、挿入中に硬膜を穿刺することを回避し、カテーテルの配置の方向を指示するように設計された、細長い針の外端に平坦な鈍い斜面を有する。硬膜外麻酔は、陣痛、分娩、胸部手術及び開腹手術のための疼痛管理のための局所麻酔に使用される。
【０００６】
硬膜外針を置くために、麻酔医や注射する人は、まず、大きな穴の皮下注射針を使用して皮膚に切開又はホールを作る。麻酔医や注射する人は、次に、皮下注射針を下に置く。次いで、注射する人は針ホールを見つけようとし、皮膚における切開又はホールを介して硬膜外針を通す。通常、注射する人は、ヒトの皮膚に大きなホールを作り出すために必要以上に大きな皮下注射針を使用するので、針ホールを通る皮下注射針の挿入が多少容易になる。したがって、従来技術の方法は２段階プロセスである。
【発明の概要】
【発明が解決しようとする課題】
【０００７】
この概要は、以下の「詳細な説明」でさらに説明する概念の選択を簡略化した形で紹介するために提供される。この概要は、主張される主題の重要な側面又は本質的な側面を特定することを意図しない。さらに、この概要は、主張される主題の範囲を決定する補助としての使用を意図しない。
【０００８】
人又は動物に薬剤、麻酔剤などを注射するための硬膜外針組立体が開示される。硬膜外針組立体は、前端及び後端を有する硬膜外針ハブを含み、この硬膜外針ハブは、それを通して延在する第１穴を有する。細長い硬膜外針が、前端及び後端を有し、それを通して後端及び前端を有する第２穴が延在する。硬膜外針の後端は、硬膜外針ハブの前端に固定されて、硬膜外針ハブの前端から前方に延在し、硬膜外針の第２穴の後端が硬膜外針ハブの第１穴と連通する硬膜外針の前端は鋭利にされる。硬膜外針ハブは、その前端にそこから前方に延在するドッキング部を有する。
【０００９】
本発明の硬膜外針組立体はまた、前端及び後端を有する注射針ハブを含む注射針組立体を含む。注射針ハブは、それを通して延在する穴を有し、注射針ハブの穴は、その後端に拡大穴部を有する。注射針組立体は、前端及び後端を有する細長い中空注射針を含む。注射針組立体の細長い中空注射針の後端は、注射針ハブに固定される。細長い中空注射針の前端は尖端を有し、細長い中空注射針の後端は注射針ハブの穴と連通する。注射針組立体はまた、内端及び外端を有するウイングを含む。ウイングの内端は注射針ハブに固定され、それにより、ウイングは注射針ハブから外方に延在する。
【００１０】
注射針ハブは、硬膜外針に摺動可能に取り付けられ、それにより、硬膜外針は、注射針ハブの後端、注射針ハブ内の穴、及び注射針を通して摺動可能に延在する。注射針ハブ及び注射針は、硬膜外針に対して第１のドッキング位置と第２の伸長位置との間で摺動可能に移動可能である。注射針ハブの後端は、注射針ハブ及び注射針を第１のドッキング位置に選択的に維持するように、硬膜外針ハブのドッキング部を受け入れる。注射針ハブ及び注射針が第１のドッキング位置にあるとき、注射針の前端は、硬膜外針の前端の後方に配置される。注射針ハブ及び注射針が伸長位置にあるとき、注射針の前端は、硬膜外針の前端の前方に配置される。
【００１１】
好ましい実施形態では、注射針組立体は、注射針ハブが硬膜外針に対して摺動可能に移動するのを確実に防止するために、硬膜外針が延在する注射針ハブに配置され、硬膜外針と摩擦係合するシールを含む。好ましい実施形態では、シールを注射針ハブ内に維持するために、シールリテーナが注射針ハブに配置される。好ましい実施形態では、注射針ハブの後端には、径方向に離間されたスロットが形成される。
【００１２】
本発明の硬膜外針組立体を使用する方法も説明される。
【００１３】
従って、本発明の主要な目的は、改善された硬膜外針組立体を提供することである。
【００１４】
本発明の別の目的は、注射する人が硬膜外針を挿入する前に人又は動物の皮膚に開口を作り出すために皮下注射針などを使用する必要性を排除する硬膜外針組立体を提供することである。
【００１５】
本発明の他の目的は、硬膜外針に摺動可能に取り付けられた注射針組立体を含む硬膜外針組立体を提供することである。
【００１６】
これらの目的及び他の目的は、当業者には明らかであろう。
【図面の簡単な説明】
【００１７】
本発明の非限定的且つ非網羅的な実施形態を以下の図面を参照して説明するが、特に明記しない限り、様々な図を通して同様の参照符号は同様の部品を指す。
【図１】本発明の硬膜外針組立体の後方斜視図である。
【図２】本発明の硬膜外針組立体の分解斜視図である。
【図３】硬膜外針上で摺動可能に移動される注射針組立体を示し、硬膜外針組立体のスタイレットがそこから部分的に除去された硬膜外針組立体の斜視図である。
【図４】硬膜外針から除去された注射針組立体を示す斜視図である。
【図５】注射針組立体の分解斜視図である。
【図６】麻酔剤及び／又は薬剤を人又は動物に注射するために本発明の硬膜外針組立体を使用する方式を示す斜視図である。
【図７】麻酔剤及び／又は薬剤を人又は動物に注射するために本発明の硬膜外針組立体を使用する方式を示す斜視図である。
【図８】麻酔剤及び／又は薬剤を人又は動物に注射するために本発明の硬膜外針組立体を使用する方式を示す斜視図である。
【図９】麻酔剤及び／又は薬剤を人又は動物に注射するために本発明の硬膜外針組立体を使用する方式を示す斜視図である。
【図１０】麻酔剤及び／又は薬剤を人又は動物に注射するために本発明の硬膜外針組立体を使用する方式を示す斜視図である。
【発明を実施するための形態】
【００１８】
複数の実施形態は、本明細書の一部を形成し、例示として特定の例示的な実施形態を示す添付の図面を参照して、以下により完全に説明される。これらの実施形態は、当業者が本発明を実施できるように十分に詳細に開示されている。しかしながら、実施形態は、多くの異なる形態で実施されてもよく、本明細書に記載の実施形態に限定されると解釈されるべきではない。したがって、以下の詳細な説明は、本発明の範囲が添付の特許請求の範囲によってのみ規定されるという点で限定的な意味で解釈されるべきではない。
符号１０は、本発明の硬膜外針組立体を指す。組立体１０は、硬膜外ハブ１４とハブ１４から前方に延在する細長い中空針１６とを有する従来の硬膜外針１２を含む。説明のために、ハブ１４は、後端１８及び前端２０を有するものとして説明する。ハブ１４は、それを通して延在する穴２２を有する。ハブ１４の前端には、前方に延在する中空ドッキング部２４が設けられる。針１６の後端は、針１６の穴がハブ１４の穴２２と連通するように、ハブ１４の前端に固定される。針１６の前端２６は、鋭利にされる。針１６は、直線状又はわずかに湾曲していてもよい。
【００１９】
多くの場合、針１６を補強し、針１６を人又は動物に挿入するときに組織材料などが針１６の内部に入るのを防止するために、スタイレット針２８が硬膜外針１２と共に使用される。スタイレット針２８はハブ３０と針３２とを含む。針３２は、図に示されるように、ハブ１４の穴２２に挿入され、針１６の内部に挿入される。そのように挿入されると、ハブ１４の後端は、ハブ３０を通して延在する穴３４の前端によって受け入れられる。
【００２０】
符号３６は、本発明の注射針組立体を指す。注射針組立体３６は、テーパ状の前端４０、拡大された本体部４２及び後端４４を有するハブ３８を含む。穴４６は、注射針組立体３６を通して延在し、その後端は、その前端より大きい。中空注射針４８は、ハブ３８に固定され、ハブ３８から前方に延在する。注射針４８は、鋭利な前端５０を有する。針４８の内部５１は、穴４６の前端と連通する。本体部４２は、それに形成された半径方向離間された複数のスロット５２を有する。ウイング５４は、その内端５６がハブ３８に固定され、そこから外方に延在する。ウイング５４を容易に把持できるように、ウイング５４に凹部５８を形成することが好ましい。
【００２１】
好ましくは、注射針組立体３６は、スリット６２が形成され穴４６に配置された円盤状シール６０を含む。シール６０は、内部に形成された中央開口６６を有するリテーナ６４によって穴４６内に保持される。注射針４８は、硬膜外針１６より３ゲージサイズ大きいことが好ましい。
【００２２】
硬膜外針組立体１０は、以下に説明するように組み立てられ、使用される。硬膜外針１０がスタイレット針２８を含むと仮定すると、スタイレット針２８の針３２は、ハブ１４の後端１８がスタイレット２８のハブ３０の穴３４の前端によって受け入れられてスタイレット針２８のハブ３０の前端がハブ１４（に当接するまで、ハブ１４の穴２２の後端に挿入される。針３２は、針１６内に配置される。そのとき、スタイレット２８の針３２の前端は、針１６の前端２６のわずかに内方に配置される。針１６が人又は動物に挿入されるとき、針３２は針１６を補強し、組織材料が針１６の前端２６に入るのを防止する。
【００２３】
まだ行っていない場合に注射針組立体３６は針１６上に滑る。針１６は、ハブ３８の穴４６を通して針４８内に延在する。注射針組立体３６は、その前端５０が針１６の前端２６の直前に位置するまで、針１６上で滑る（図６）。次に、硬膜外針組立体１０は、針４８の鋭利な前端５０が人又は動物の皮膚６８に刺入するように、図６の位置から図７の位置に移動される。
【００２４】
次に、注射針組立体３６が所定の位置に保持されながら、針１６は、人又は動物に部分的に延在される（図８）。次いで、注射針組立体３６は、針１６に対してそのドッキング位置まで後方に摺動可能に移動され、本体部４２の後端は、ハブ１４のドッキング部２６上で滑る。本体部４２上のスロット５２は、本体部４２の後端が外方にいくらか偏向して、本体部４２の後端がドッキング部２６上で滑ることを可能にする。本体部４２がドッキング部２６上で滑ったとき、本体部４２とドッキング部２６との摩擦係合により、本体部４２はドッキング部２６上に確実に維持される。
【００２５】
次いで、針１６は、適切な深さに達するまで人又は動物に延在される。組立体がスタイレット針２８を含む場合、スタイレット針２８は、次に、組立体から取り外される。次いで、注射器又は他の医療装置がハブ１４に結合されて、薬剤又は麻酔剤が人又は動物に注入され得る。薬剤又は麻酔剤が人又は動物に注入されると、人又は動物から針１２を取り外すように硬膜外針組立体１０は人又は動物から離れる。
本発明は、ハブ１４の前端にドッキング部２６を含むことが好ましいが、場合によってはドッキング部が省略されてもよい。ウイング５４を利用することが好ましいが、ウイング５４を省略してよい場合もある。
【００２６】
したがって、本発明は、少なくともそのすべての目的を達成することが分かる。
【００２７】
本発明は、特定の構造及び方法論的ステップに特有の言語で説明されているが、添付の特許請求の範囲に定義された本発明は必ずしも説明された特定の構造及び／又はステップに限定されないことを理解されたい。むしろ、特定の態様及びステップは、請求された発明を実施する形態として記載される。本発明の多くの実施形態は、本発明の精神及び範囲から逸脱することなく実施することができるので、本発明は添付の特許請求の範囲に属する。
【図１】
2019514646.tif 000003
【図２】
2019514646.tif 000004
【図３】
2019514646.tif 000005
【図４】
2019514646.tif 000006
【図５】
2019514646.tif 000007
【図６】
2019514646.tif 000008
【図７】
2019514646.tif 000009
【図８】
2019514646.tif 000010
【図９】
2019514646.tif 000011
【図１０】
2019514646.tif 000012
【手続補正書】
【提出日】平成31年3月6日(2019.3.6)
【手続補正１】
【補正対象書類名】図面
【補正対象項目名】図１
【補正方法】変更
【補正の内容】
【図１】
2019514646.tif 000013
【手続補正２】
【補正対象書類名】図面
【補正対象項目名】図５
【補正方法】変更
【補正の内容】
【図５】
2019514646.tif 000014
【国際調査報告】
2019514646.tif 000015